(57)【要約】  本発明は、低硫黄、低窒素のディーゼル燃料沸点範囲生成物の生成方法に関する。本方法は、ディーゼル燃料沸点範囲原料油ストリームを酸性溶液と接触させて、水素化処理の前にヘテロ環の窒素含有化合物を選択的に除去する工程を含んでいる。【選択図】なし【特許請求の範囲】
【請求項１】
窒素および硫黄の両汚染物質を含有するディーゼル燃料沸点範囲原料油ストリームの改良された水素化処理方法であって、
ａ）硫酸溶液を基準にして少なくとも７５重量％の硫酸濃度を有する硫酸溶液を提供する工程；
ｂ）窒素および硫黄の両ヘテロ原子を含むディーゼル燃料沸点範囲原料油ストリームを、前記ディーゼル燃料沸点範囲原料油ストリームに含まれる窒素化合物の少なくとも８５重量％を除去するのに有効な条件下で前記硫酸溶液と接触させて、ディーゼル燃料沸点範囲生成物および使用済み硫酸溶液を少なくとも生成する工程であって、前記硫酸溶液の容量処理率は、前記ディーゼル燃料沸点範囲原料油ストリームを基準にして０．５容量％よりも大きい工程；および
ｃ）前記ディーゼル燃料沸点範囲生成物を水素化処理する工程
を含むことを特徴とする水素化処理方法。
【請求項２】
前記窒素含有ディーゼル燃料沸点範囲原料油ストリームは、３００〜７７５°Ｆの温度範囲で沸騰することを特徴とする請求項１に記載の水素化処理方法。
【請求項３】
前記窒素含有ディーゼル燃料沸点範囲原料油ストリームは、４００〜７００°Ｆの温度範囲で沸騰することを特徴とする請求項１または２に記載の水素化処理方法。
【請求項４】
前記窒素含有ディーゼル燃料沸点範囲原料油ストリームは、５０〜１０００ｗｐｐｍの窒素を含有することを特徴とする請求項１〜３のいずれかに記載の水素化処理方法。
【請求項５】
前記窒素含有ディーゼル燃料沸点範囲原料油ストリーム中に存在する窒素は、カルバゾールおよび／または置換カルバゾールを含むことを特徴とする請求項１〜４のいずれかに記載の水素化処理方法。
【請求項６】
前記硫酸溶液は、７５重量％より多い硫酸を含むことを特徴とする請求項１〜５のいずれかに記載の水素化処理方法。
【請求項７】
前記硫酸溶液は、アルキル化プロセス装置から得られることを特徴とする請求項１〜６のいずれかに記載の水素化処理方法。
【請求項８】
前記アルキル化プロセスは、
ａ）Ｃ４オレフィンを含むオレフィン系炭化水素原料油ストリームをイソブタンと組み合わせて、炭化水素混合物を形成する工程；および
ｂ）前記炭化水素の混合物を、アルキレートおよび少なくとも７５重量％の酸濃度の硫酸溶液を少なくとも生成するのに有効な条件下で硫酸と接触させる工程
を含むことを特徴とする請求項７に記載の水素化処理方法。
【請求項９】
前記硫酸溶液に水を加えて、前記硫酸溶液の硫酸濃度を調整することを特徴とする請求項１〜８のいずれかに記載の水素化処理方法。
【請求項１０】
前記ディーゼル燃料沸点範囲生成物は、２００ｗｐｐｍよりも少ない窒素を有することを特徴とする請求項１〜９のいずれかに記載の水素化処理方法。
【請求項１１】
前記ディーゼル燃料沸点範囲生成物の硫黄濃度は、前記ディーゼル燃料沸点範囲原料油ストリームよりも０．１〜２５重量％低いことを特徴とする請求項１〜１０のいずれかに記載の水素化処理方法。
【請求項１２】
前記硫酸溶液処理に起因する収率の損失は、０．５〜６重量％であることを特徴とする請求項１〜１１のいずれかに記載の水素化処理方法。
【請求項１３】
前記硫酸溶液の処理率は、０．５容量％よりも高いことを特徴とする請求項１〜１２のいずれかに記載の水素化処理方法。
【請求項１４】
前記硫酸溶液の処理率は、０．５〜２０容量％であることを特徴とする請求項１〜１３のいずれかに記載の水素化処理方法。
【請求項１５】
前記窒素含有ディーゼル燃料沸点範囲原料油ストリームと前記硫酸溶液を、非分散型接触法および分散型接触法よりなる群から選択される接触法によって完全に接触させることを特徴とする請求項１〜１４のいずれかに記載の水素化処理方法。
【請求項１６】
前記非分散型接触法は、不活性粒子充填床およびファイバー−フィルム接触装置よりなる群から選択されることを特徴とする請求項１５に記載の水素化処理方法。
【請求項１７】
前記分散型接触法は、混合バルブ、スタティックミキサーおよび混合タンクまたは容器よりなる群から選択されることを特徴とする請求項１５に記載の水素化処理方法。
【請求項１８】
前記ディーゼル燃料沸点範囲生成物と前記使用済み硫酸溶液を分離する工程を更に含むことを特徴とする請求項１〜１７のいずれかに記載の水素化処理方法。
【請求項１９】
前記ディーゼル燃料沸点範囲生成物と前記使用済み硫酸溶液を、炭化水素ストリームから酸を分離するのに有効と知られる任意の手段によって分離することを特徴とする請求項１〜１８のいずれかに記載の水素化処理方法。
【請求項２０】
前記ディーゼル燃料沸点範囲生成物と前記使用済み硫酸溶液を、沈降タンクまたはドラム、コアレッサ、静電沈降器および他の類似装置よりなる群から選択される分離装置によって分離することを特徴とする請求項１〜１９のいずれかに記載の水素化処理方法。
【請求項２１】
前記ディーゼル燃料沸点範囲生成物と前記使用済み硫酸溶液を、ファイバー−フィルム接触装置によって分離することを特徴とする請求項１〜２０のいずれかに記載の水素化処理方法。
【請求項２２】
前記ディーゼル燃料沸点範囲生成物に含まれる硫黄の少なくとも一部を除去あるいは転化するのに有効な条件下で、前記ディーゼル燃料沸点範囲生成物を、少なくとも１種の第ＶＩ族金属酸化物および少なくとも１種の第ＶＩＩＩ族金属酸化物を含む水素化処理触媒と接触させることによって、前記ディーゼル燃料沸点範囲生成物の水素化処理を行うことを特徴とする請求項１〜２１のいずれかに記載の水素化処理方法。
【請求項２３】
水素化処理前の前記ディーゼル燃料沸点範囲生成物の全酸価を低減するのに有効な条件下で、前記ディーゼル燃料沸点範囲生成物を、苛性アルカリおよび水よりなる群から選択される有効量の酸低減材料と接触させる工程を更に含むことを特徴とする請求項１〜２２のいずれかに記載の水素化処理方法。
【請求項２４】
窒素および硫黄汚染物質の両者を含有するディーゼル燃料沸点範囲原料油ストリームの改良された水素化処理方法であって、
ａ）硫酸溶液を基準にして少なくとも７５重量％の硫酸濃度を有する硫酸溶液を提供する工程；
ｂ）窒素および硫黄の両汚染物質を含有し、３５０〜７５０°Ｆの温度範囲で沸騰するディーゼル燃料沸点範囲原料油ストリームを、前記ディーゼル燃料沸点範囲原料油ストリームに含まれる窒素化合物の８５重量％超を除去するのに有効な条件下で前記硫酸溶液と接触させて、ディーゼル燃料沸点範囲生成物および使用済み硫酸溶液を少なくとも生成する工程であって、前記硫酸溶液の容量処理率は、前記ディーゼル燃料沸点範囲原料油ストリームを基準にして０．５容量％よりも大きく、前記接触を非分散法によって行う工程；および
ｃ）前記ディーゼル燃料沸点範囲生成物に含まれる硫黄の少なくとも一部を除去あるいは転化するのに有効な条件下で、前記ディーゼル燃料沸点範囲生成物を、少なくとも１種の第ＶＩ族金属酸化物および少なくとも１種の第ＶＩＩＩ族金属酸化物を含む水素化処理触媒と接触させることによって、前記ディーゼル燃料沸点範囲生成物を水素化処理する工程
を含むことを特徴とする水素化処理方法。
【発明の詳細な説明】
【技術分野】
【０００１】
本発明は、窒素含有炭化水素ストリームの品質向上方法に関するものであり、更に詳しくは、低硫黄、低窒素のディーゼル燃料沸点範囲生成物の生成方法に関する。本方法は、ディーゼル燃料沸点範囲原料油ストリームを酸性溶液と接触させて、水素化処理の前にヘテロ環の窒素含有化合物を選択的に除去する工程を含んでいる。
【背景技術】
【０００２】
現在、現今の環境排出物規制に適合するために、自動車燃料、特にディーゼル燃料の硫黄および芳香族の含有量を低減する必要性が生じている。ディーゼル燃料を抽出するディーゼル燃料沸点範囲の原料油ストリームの硫黄および芳香族含有量は共に、触媒処理を用いることによって満足し得るレベルまで低減することが可能であるが、触媒処理は、原料油ストリームの中に存在する窒素含有化合物によって厳しい妨害作用を受ける。このため、硫黄および芳香族化合物の低減プロセスにおいて用いられるような、自動車燃料生産のための、原料油ストリームの窒素含有量低減方法が多数提案されてきた。
【０００３】
例えば、特許文献１は、石炭液化派生ナフサから塩基性の窒素種物質を除去するために希硫酸（０〜１０重量％）を使用することを述べている。しかし残念ながら、水素化処理の触媒は塩基性の窒素種物質に被毒されるだけでなく、ディーゼル燃料沸点範囲の原料油ストリームの中に豊富に含まれる非塩基性の窒素ヘテロ環化合物によっても被毒される。このため、ほぼすべての窒素種物質を除去するために強力な硫酸が用いられてきた。
【０００４】
又、特許文献２は、直留留分のジェット燃料沸点範囲のストリームを処理するために、濃硫酸即ち少なくとも９５重量％の硫酸を使用することを述べている。この方法においては、硫酸を含有するストリームを、約３００ミクロンよりも小さい液滴の形でジェット燃料の中に分散する必要がある。特許文献２の方法は、ジェット燃料沸点範囲のストリームから９０％以上の窒素を除去し得ることを開示しているが、発明者（Ｍ．Ｃ．Ｆｒａｙｔｅｔ）が指摘しているように、好ましくない２次反応が生起しないようにするために、原料油ストリームからの酸の分離が決定的に重要である。この好ましくない２次反応には、例えば、オレフィンの重合および硫酸とチオフェン種物質との反応がある。これらの好ましくない反応はいくつかの点で有害である。第１に、これらの好ましくない副反応は、これらの方法の実行者により多量の硫酸の使用を余儀なくさせる。これらの反応が硫酸の一部を消費するからである。第２に、オレフィン材料から高沸点のポリマーを形成することによって生成物の品位を低下させる。この高沸点ポリマーは後の燃焼においてばい煙の形成体となるものである。最後に、これら好ましくない反応のいくつかの副生物質は、酸性の副生物質に溶解するが故に除去され、該方法にとって全収率の損失をもたらす結果を招く。
【０００５】
しかしながら、特許文献２の方法のような分散接触法は、「微粒懸濁酸性スラッジ（ｐｅｐｐｅｒ  ｓｌｕｄｇｅ）」形成のような欠点を有することが当技術分野においても知られている。微粒懸濁酸性スラッジの形成は、重力沈降器において酸の微小な液滴が容易に集塊（コアレス）化しないかあるいは沈殿しない場合に生起する。従って、原料中に懸濁した分散酸性材料は処理された原料に同伴され、この方法の実行者は、微粒懸濁酸性スラッジを中和し、腐食問題を回避するために苛性アルカリ処理を用いざるを得なくなる。しかし、原料中に懸濁する「微粒懸濁酸性スラッジ」は原料から除去された窒素種物質をも含んでいるので、中和するとこの窒素種物質が遊離され、原料に戻ることになる。従って、分散処理法における微粒懸濁酸性スラッジの存在は、達成し得る窒素低減の最終的な性能を制限する。このため、当技術分野においては、ディーゼル燃料沸点範囲の原料油ストリーム用の更に効率的な窒素除去法が求められている。
【０００６】
【特許文献１】米国特許第３，７１９，５８７号明細書
【特許文献２】米国法定発明登録第Ｈ１３６８号明細書
【特許文献３】米国特許第３，７５８，４０４号明細書
【発明の開示】
【発明が解決しようとする課題】
【０００７】
従って、当技術分野においては、ディーゼル燃料沸点範囲の原料油ストリームの水素化処理に有益に寄与するような、ディーゼル燃料沸点範囲の原料油ストリーム用の更に効率的な窒素除去法に対する必要性がなお存在している。即ち、好ましくない化学反応の結果である上記のいくつかの欠点を伴うことなく、水素化処理の触媒を被毒する窒素含有ヘテロ環化合物をより選択的に除去する方法が求められている。
【課題を解決するための手段】
【０００８】
本発明は、窒素および硫黄の両汚染物質を含有し、全酸価を有するディーゼル燃料沸点範囲原料油ストリームの改良された水素化処理方法に関するものである。本方法は、
ａ）硫酸溶液を基準にして少なくとも約７５重量％の硫酸濃度を有する硫酸溶液を提供する工程；
ｂ）窒素および硫黄の両ヘテロ原子を含むディーゼル燃料沸点範囲原料油ストリームを、前記ディーゼル燃料沸点範囲原料油ストリームに含まれる窒素化合物の少なくとも約８５重量％を除去するのに有効な条件下で前記硫酸溶液と接触させて、ディーゼル燃料沸点範囲生成物および使用済み硫酸溶液を少なくとも生成する工程であって、前記硫酸溶液の容量処理率は、前記ディーゼル燃料沸点範囲原料油ストリームを基準にして約０．５容量％よりも大きい工程；および
ｃ）前記ディーゼル燃料沸点範囲生成物を水素化処理する工程
を含む。
【０００９】
本発明の一実施形態においては、前記硫酸溶液は、アルキル化プロセス装置から得られる廃硫酸溶液であって、前記廃硫酸溶液は、
ａ）Ｃ４オレフィンを含むオレフィン系炭化水素原料油ストリームをイソブタンと組み合わせて、炭化水素混合物を形成する工程；および
ｂ）前記炭化水素の混合物を、アルキレートおよび少なくとも約７５重量％の酸濃度の硫酸溶液を少なくとも生成するのに有効な条件下で硫酸と接触させる工程
によって生成される。
【００１０】
本発明のもう１つの実施形態は、窒素および硫黄の両汚染物質を含有し、全酸価を有するディーゼル燃料沸点範囲原料油ストリームの改良された水素化処理方法に関する。本方法は、
ａ）硫酸溶液を基準にして少なくとも約７５重量％の硫酸濃度を有する硫酸溶液を提供する工程；
ｂ）窒素および硫黄の両ヘテロ原子を含み、全酸価を有するディーゼル燃料沸点範囲原料油ストリームを、前記ディーゼル燃料沸点範囲原料油ストリームに含まれる窒素化合物の少なくとも約８５重量％を除去するのに有効な条件下で前記硫酸溶液と接触させて、全酸価を有するディーゼル燃料沸点範囲生成物および使用済み硫酸溶液を少なくとも生成する工程であって、前記硫酸溶液の容量処理率は、前記ディーゼル燃料沸点範囲原料油ストリームを基準にして約０．５容量％よりも大きい工程；
ｃ）水素化処理前の前記ディーゼル燃料沸点範囲生成物の全酸価を低減するのに有効な条件下で、前記ディーゼル燃料沸点範囲生成物を、苛性アルカリおよび水よりなる群から選択される有効量の酸低減材料と接触させる工程；および
ｄ）前記ディーゼル燃料沸点範囲生成物を水素化処理する工程
を含む。
【００１１】
好ましい一実施形態においては、前記酸低減材料は水である。
【００１２】
本発明の別の好ましい実施形態においては、前記ディーゼル燃料沸点範囲生成物を水と接触させることにより、前記ディーゼル燃料沸点範囲生成物の全酸価を、少なくともディーゼル燃料沸点範囲の原料油ストリームの全酸価まで低減させる。
【発明を実施するための最良の形態】
【００１３】
本発明は、窒素および硫黄汚染物質の両者を含有するディーゼル燃料沸点範囲の原料油ストリームから窒素を除去する方法である。この方法は、窒素および硫黄汚染物質の両者を含有するディーゼル燃料沸点範囲の原料油ストリームを、好ましくは非分散法によって硫酸溶液と接触させ、これによってディーゼル燃料沸点範囲の生成物を生成する工程を含んでいる。ディーゼル燃料沸点範囲の原料油ストリームを硫酸溶液と接触させると、ディーゼル燃料沸点範囲の生成物の窒素含有量は、少なくとも８５重量％低減した値になる。得られたディーゼル燃料沸点範囲の生成物を続いて水素化処理する。ここで、水素化処理および水素化脱硫は交換可能な用語として用いられること、および、「ディーゼル燃料沸点範囲の原料油ストリーム」という語句は、窒素および硫黄汚染物質の両者を含有しかつ全酸価（「ＴＡＮ」）を有するディーゼル燃料沸点範囲の原料油ストリームのことを意味していることに留意されたい。ＴＡＮは石油の酸含有量の測定であり、適切な塩基によって石油を滴定して試験的に決定される。その測定法は、例えばＡＳＴＭのＤ６６４に規定されている。
【００１４】
本発明の方法による処理に適した原料油ストリームはディーゼル燃料の沸点範囲を有するものである。ディーゼル燃料の沸点範囲は、約３００〜約７７５°Ｆ、好ましくは約３５０〜約７５０°Ｆ、更に好ましくは約４００〜約７００°Ｆ、最も好ましくは約４５０〜約６５０°Ｆの温度範囲において沸騰する原料油ストリームを含む。これらは、水素化処理されていないディーゼル燃料沸点範囲の原料油ストリームを含んでおり、ディーゼル燃料沸点範囲の非水素化処理原料油ストリームの１つのブレンド、先行して水素化処理されたディーゼル燃料沸点範囲の原料油ストリーム、水素化処理されたディーゼル燃料沸点範囲の原料油ストリームのいくつかのブレンド、非水素化処理および水素化処理されたディーゼル燃料沸点範囲の原料油ストリームのいくつかのブレンドである。
【００１５】
本発明の方法による処理に適したディーゼル燃料沸点範囲の原料油ストリームは窒素も含有している。この原料油ストリームの窒素含有量は、典型的な値として、約５０〜約１０００ｗｐｐｍ窒素、好ましくは約７５〜約８００ｗｐｐｍ窒素、更に好ましくは約１００〜約７００ｗｐｐｍ窒素の範囲である。窒素は、塩基性および非塩基性の両者の窒素種物質として出現する。塩基性窒素種物質の非限定例としてキノリンおよび置換キノリンを、非塩基性窒素種物質の非限定例としてカルバゾールおよび置換カルバゾールを挙げることができる。
【００１６】
本発明を実施する場合、上記に規定した原料油ストリームを硫酸溶液とよく接触させる。ここで使用する硫酸溶液は、硫酸溶液を基準にして少なくとも約７５重量％、好ましくは約７５重量％より高濃度、更に好ましくは約７５〜約８８重量％の硫酸を含むものである。この硫酸溶液は周知のいかなる方法で調製したものでもよいが、この硫酸溶液として、アルキル化プロセス装置から得られる廃酸であって上記の規定範囲内の硫酸濃度を有する廃酸を用いることが好ましい。代表的なアルキル化法は、Ｃ４オレフィンを含むオレフィン系炭化水素の原料油ストリームをイソブタンと組み合わせて炭化水素の混合物を生成させる工程を含んでいる。この炭化水素の混合物を続いて硫酸と接触させる。この炭化水素の混合物との接触用として使用される硫酸は、一般的に少なくとも約９５重量％の酸濃度を有する試薬品質の硫酸である。この硫酸は約９７重量％よりも高い硫酸濃度を有することが更に好ましい。炭化水素の混合物は、少なくともアルキレートと硫酸溶液とを生成するに有効な条件の下で硫酸と接触させる。この方法で生成される硫酸溶液は、硫酸溶液を基準にして少なくとも約７５重量％、好ましくは約７５重量％より高濃度、更に好ましくは約７５〜約９２重量％の硫酸を含み、約０．５〜約５重量％の水を含んでいる。残りの成分は酸溶解性の炭化水素である。更に、この方法で生成される硫酸溶液が、約８２〜約９２重量％の間の硫酸と約１〜約４容量％の水とを含み、残りの成分は酸溶解性の炭化水素となるような有効な条件が選択されるとなお好ましい。しかし、最も好ましいのは、この方法で生成される硫酸溶液が、約８５〜約９２重量％の間の硫酸と約１．５〜約４容量％の水とを含み、残りの成分は酸溶解性の炭化水素であるような有効な条件が選択されることである。
【００１７】
上記に規定した硫酸濃度の硫酸溶液、即ち、硫酸溶液を基準にして少なくとも約７５重量％、好ましくは約７５重量％より高濃度、更に好ましくは約７５〜約８８重量％の硫酸を含む硫酸溶液を提供するために、アルキル化装置または他の方法によって得られる硫酸を、適切な希釈剤好ましくは水で希釈することは本発明の範囲内であることに留意されたい。希釈剤が硫酸溶液に添加された後の硫酸濃度を測定するために、硫酸および水の含有量が標準的な分析技法によって測定される。これから、当量酸濃度を次の式によって計算することができる。即ち、当量硫酸重量％＝硫酸重量％／（硫酸重量％＋水重量％）、である。この式においては、アルキル化廃酸の酸溶解性炭化水素含有量は、硫酸および水の含有量に関して不活性希釈剤として扱われている。
【００１８】
ディーゼル燃料沸点範囲の原料油ストリームを硫酸溶液と接触させるが、その酸の容量処理率は、ディーゼル燃料沸点範囲の原料油ストリームを基準にして約０．５容量％よりも大きく、好ましくは約０．５〜約２０容量％であり、更に好ましくは０．５〜約５容量％である。接触処理は、分散法および非分散法の両者を含む任意の適切な方法によって行うことができる。適切な分散法の非限定例には、混合バルブ、混合タンクまたは容器、および他の類似装置が含まれ、非分散法の非限定例には、不活性粒子の充填床、および、メリケム社（Ｍｅｒｉｃｈｅｍ  Ｃｏｍｐａｎｙ）から販売されておりかつ特許文献３に説明されているようなファイバー−フィルム（Ｆｉｂｅｒ−Ｆｉｌｍ：商標）接触装置が含まれる。この接触装置は、不活性粒子の充填床ではなく、金属繊維の束に沿って接触させる方式を含んでいる。特許文献３の内容は、この参照によって本出願に含まれる。好ましい接触法は非分散型であるが、更に好ましい接触法は分散型として分類される接触法である。
【００１９】
ディーゼル燃料沸点範囲の原料油ストリームの硫酸溶液との接触は有効な条件の下で行われる。有効な条件とは、本発明の方法が、約８０重量％よりも大きい窒素の低減率、好ましくは約８５重量％よりも大きく、更に好ましくは約９２重量％よりも大きい窒素の低減率を達成し得るような条件を言うものとする。有効な条件は、又、硫酸溶液処理の間の収率損失を、約０．５〜約６重量％、好ましくは約０．５〜約４重量％、更に好ましくは約０．５〜約３重量％に最小化するような条件としても考慮されるべきである。
【００２０】
ディーゼル燃料沸点範囲の原料油ストリームを硫酸溶液と接触させることによって、適切な芳香族および硫黄除去プロセスに送られる少なくともディーゼル燃料沸点範囲の生成物が生成される。従って、除去された窒素種物質をすでに含有する使用済みの硫酸溶液を、ディーゼル燃料沸点範囲の生成物から分離しなければならない。使用済みの硫酸溶液とディーゼル燃料沸点範囲の生成物とは、炭化水素のストリームから酸を分離するのに有効であるとして知られる任意の方法によって分離することができる。適切な分離方法の非限定例として、重力沈降、電界誘起沈降、遠心分離、マイクロ波誘起沈降、および、集塊（コアレス）化表面によって強化された沈降がある。しかし、ディーゼル燃料沸点範囲の生成物と使用済み硫酸溶液とを、例えば、沈降タンクまたはドラム、コアレッサ、静電沈降器、あるいは他の類似装置のような分離装置において、層に分離するかあるいは分離させ得ることが好ましい。本発明の方法によって生成される使用済み硫酸溶液とディーゼル燃料沸点範囲の生成物との分離用として、上記のファイバー−フィルム接触装置を用いることは更に好ましい。引き続いて、ディーゼル燃料沸点範囲の生成物を分離装置から引き抜き、適切な水素化処理プロセスに送ることができる。
【００２１】
以上の如く、本発明の方法によって得られたディーゼル燃料沸点範囲の生成物の窒素含有量は、塩基性および非塩基性両者共、当初のディーゼル燃料沸点範囲の原料油ストリームの窒素含有量よりも遥かに低い。遥かに低いというのは、ディーゼル燃料沸点範囲の原料油ストリームの窒素含有量が、少なくとも約８０％、好ましくは少なくとも約８５％、更に好ましくは少なくとも約９０％だけ低減されることを意味している。従って、ディーゼル燃料沸点範囲の生成物は、ディーゼル燃料沸点範囲の原料油ストリームの窒素濃度よりも、約８０％、好ましくは少なくとも約８５％、更に好ましくは少なくとも約９０％低い窒素濃度を有することになると同様に言うことができる。これは、一般的に、約２００ｗｐｐｍより低い窒素濃度、好ましくは約１００ｗｐｐｍより低い窒素濃度、更に好ましくは約５０ｗｐｐｍより低い窒素濃度、最も好ましくは約２０ｗｐｐｍより低い窒素濃度のディーゼル燃料沸点範囲の生成物を結果的に生成することになる。ディーゼル燃料沸点範囲の原料油ストリームを硫酸溶液と接触させることによって、一般的に又、ディーゼル燃料沸点範囲の原料油ストリームのＴＡＮよりも高いＴＡＮを有するディーゼル燃料沸点範囲の生成物が結果的に生成される。
【００２２】
ディーゼル燃料沸点範囲の生成物は、一般的に又、窒素含有ディーゼル燃料沸点範囲の原料油ストリームの硫黄濃度よりも低い硫黄濃度を有することができる。従って、ディーゼル燃料沸点範囲の原料油ストリームを硫酸溶液と接触させることによって、ディーゼル燃料沸点範囲の生成物の硫黄含有量も低下する。このため、ディーゼル燃料沸点範囲の生成物の硫黄含有量は、ディーゼル燃料沸点範囲の原料油ストリームの硫黄含有量よりも低くなるのである。しかし、収率の損失を最小化するために、硫黄の低減は最小限度に抑えることが望ましい。代表的な値として、ディーゼル燃料沸点範囲の生成物の硫黄含有量は、ディーゼル燃料沸点範囲の原料油ストリームの硫黄含有量よりも、約０．１〜約２５％低いか、好ましくは約０．１〜約１５％、更に好ましくは約０．１〜約１０％、最も好ましくは約０．１〜約５％低くすることができる。
【００２３】
ディーゼル燃料沸点範囲の生成物は、引き続いて水素化処理してその硫黄濃度を低減する。任意の適切な水素化処理触媒をディーゼル燃料沸点範囲の生成物に対して使用することができる。適切な水素化処理触媒の非限定例は、少なくとも１つの第ＶＩＩＩ族金属の酸化物、好ましくはＦｅ、ＣｏおよびＮｉから選択した金属の酸化物、更に好ましくはＣｏおよび／またはＮｉの酸化物、最も好ましくは酸化Ｃｏと、少なくとも１つの第ＶＩ族金属の酸化物、好ましくはＭｏおよびＷから選択した金属の酸化物、更に好ましくは酸化Ｍｏとからなる触媒であって、これらを高表面積の担体材料好ましくはアルミナに担持させた触媒である。これらの触媒は、例えば固定床のような任意の適切な方式に配置することができる。又、２つ以上の水素化処理触媒を使用し得ること、および、２つ以上の触媒床、例えば積み重ね床構成を使用し得ることも考えられる。ディーゼル燃料沸点範囲の生成物は、このディーゼル燃料沸点範囲の生成物に含有される硫黄の少なくとも一部を除去するに有効な条件の下で水素化処理触媒と接触させる。現在の環境規制に基準に適合するに必要な量の硫黄を水素化処理において除去することが望ましい。前記のように、ディーゼル燃料沸点範囲の原料油ストリームを硫酸溶液と接触させることによって、一般的に、ディーゼル燃料沸点範囲の原料油ストリームのＴＡＮよりも高いＴＡＮを有するディーゼル燃料沸点範囲の生成物が結果的に生成される。従って、本発明の１つの実施形態は、ディーゼル燃料沸点範囲の生成物を、水素化処理の前に、苛性アルカリおよび水から選択される材料の有効な量、好ましくは水の有効な量と接触させる工程を含んでいる。ここで、材料の有効な量とは、ディーゼル燃料沸点範囲の生成物のＴＡＮを低減する材料の量を意味している。又、ディーゼル燃料沸点範囲の生成物を有効な条件の下で苛性アルカリまたは水と接触させるが、この有効な条件としては、その条件が選択されるとディーゼル燃料沸点範囲の生成物のＴＡＮの低減が可能になるような条件を意味している。材料の有効な量および有効な条件は、ディーゼル燃料沸点範囲の生成物のＴＡＮがディーゼル燃料沸点範囲の原料油ストリームのＴＡＮと同等になるように選択することが好ましい。材料の有効な量および有効な条件を、ディーゼル燃料沸点範囲の生成物のＴＡＮがディーゼル燃料沸点範囲の原料油ストリームのＴＡＮよりも低くなるように選択することは、更に好ましい。
【００２４】
以上の説明は本発明の好ましい実施形態を対象としている。当技術分野に精通した当業者は、同等に有効な他の実施形態を、本発明の本質を実行するために考案し得ることを認めるであろう。
【００２５】
以下の実施例が、本発明の改善された有効性を例証するであろうが、これらの実施例はいかなる意味においても本発明を限定するものではない。
【実施例】
【００２６】
実施例１
直留留分のディーゼル燃料の２つの１０ｍｌの試料をピペットで２つのガラス瓶に定量した。これを以下、原料＃１と呼称する。１つの試料は、硫酸濃度９６．１重量％の試薬品質の硫酸溶液０．１ｍｌ（１容量％処理率）と組み合わせ、もう１つの試料は、同じ硫酸溶液、但し０．２ｍｌ（２容量％処理率）の硫酸溶液と混合した。混合は６０秒間手動で振盪し、その後室温で分離させた。２つの相、即ちディーゼル燃料沸点範囲の生成物と硫酸溶液とが分離し、ディーゼル燃料生成物の層を取り出した。ディーゼル燃料生成物を計量し、ＡＮＴＥＫ社の分析計で窒素および硫黄含有量を分析した。この試験の結果は以下の表１に含まれている。
【００２７】
実施例２
第２のディーゼル燃料沸点範囲の原料油を、上記の実施例１で要約した方法に従って同様に処理した。この材料を以下、原料＃２と呼称する。但し、この第２のディーゼル原料油は、約１／３の分解原料即ち接触分解軽質油とコーカーガスオイルとを含んでいる。又、原料＃２の試料２リットルを、ガラスの分液漏斗内で、上記の実施例１に述べた硫酸溶液によって５容量％処理率において処理した。これらの試験の結果を以下の表１に示す。
【００２８】
【表１】
2007513248.tif 000002
【００２９】
表１に見られるように、両原料共、酸性溶液による処理に良好に反応しており、量的に同等の窒素除去が達成されている。原料の損失が低いことも観察される。回収原料は、回収されたディーゼル燃料生成物の容量をディーゼル原料油の容量で除して、１００を乗じて計算したものである。原料＃２からの酸性溶液による副生物質は、酸性溶液の処理率の増大と共により多く流体化していることも注目される。
【００３０】
実施例３
上記実施例１および２の試験を、アルキル化装置から得られた廃硫酸溶液を用いて繰り返した。アルキル化廃酸の組成は硫酸９０重量％、水４重量％、および酸溶解性炭化水素６重量％（差の分）であった。当量硫酸濃度は９６重量％である。これらの試験の結果を次の表２に示す。
【００３１】
【表２】
2007513248.tif 000003
【００３２】
表２に見られるように、アルキル化装置の廃酸を使用しても、試薬品質の硫酸を使用した場合と同様の結果が得られている。
【００３３】
実施例４
２０ミリリットルの直留留分のディーゼル燃料を１２０°Ｆの水浴中で平衡させ、この２０ｍｌの試料を、ガラスの遠心分離管の中で、酸濃度９６．１重量％の試薬品質の硫酸０．２ｍｌ（１容量％処理率）と組み合わせた。この混合物を６０秒間振盪し、その後１５００ｒｐｍで１０分間遠心分離した。ディーゼル燃料と硫酸溶液とは急速に分離し、ディーゼル燃料層を取り出して、ＡＮＴＥＫ社の分析計で窒素および硫黄含有量を分析した。
【００３４】
この手順をいくつかの酸濃度において繰り返した。酸濃度を、試薬品質の硫酸に蒸留水を加えて減少させた。
【００３５】
この試験の結果を図１に示す。図１に見られるように、原料の硫黄含有量は、硫酸溶液の硫酸濃度が約８０重量％を超えるまでは硫酸処理による影響を受けない。酸の濃度が約８５重量％から約９４重量％に増大するに伴って硫黄の低下も増大し、その後横ばいになる。対照的にディーゼル燃料沸点範囲の生成物の窒素含有量は、僅かに５重量％の酸濃度の硫酸溶液による処理によっても低下し始め、酸濃度の増大と共に、硫酸溶液濃度が約５０重量％に達するまで減少し続ける。全窒素濃度におけるこの初期の減少は、「塩基性の」窒素種物質の除去を表している。しかし、「非塩基性の」窒素種物質は、硫酸溶液における硫酸濃度が約７５重量％に達するまでは硫酸処理による影響を受けない。７５重量％の酸濃度においては、硫黄化合物は影響を受けない。
【００３６】
本発明の目的の１つは、収率の損失を最小化しながら原料からの窒素の除去率を可能な限り高めることにあるが、図１が、約７５〜約８５重量％の範囲内の酸濃度の硫酸溶液を用いることによってこの目的を実現し得ることを示唆している。データは、約９６重量％の酸濃度の硫酸溶液を使用した時に、ディーゼル燃料沸点範囲の原料油に含有される硫黄の１０％だけが減少したことを示しているが、これは収率損失の単一最大の寄与因子を表している。硫黄を除去することは、硫黄が含有されている全分子を除去することになるからである。
【００３７】
実施例５
約１／３の分解原料即ち接触分解軽質油とコーカーガスオイルとを含む２０ミリリットルのディーゼル燃料沸点範囲の原料油を、１２０°Ｆの水浴中で平衡させ、この２０ｍｌの試料を、ガラスの遠心分離管の中で、酸濃度９６．１重量％の試薬品質の硫酸０．８ｍｌ（４容量％処理率）と組み合わせた。この混合物を６０秒間振盪し、その後１５００ｒｐｍで１０分間遠心分離した。ディーゼル燃料と硫酸溶液とは急速に分離し、ディーゼル燃料層を取り出して、ＡＮＴＥＫ社の分析計で窒素および硫黄含有量を分析した。
【００３８】
この手順をいくつかの酸濃度において繰り返した。酸濃度を、試薬品質の硫酸に蒸留水を加えて酸濃度を希釈することによって減少させた。図２がこの試験の結果を含んでいる。図２に見られるように、分解原料を含むディーゼル燃料を処理した結果は、図１に関連して述べた結果と同様である。
【００３９】
図３も、この試験によって得られた結果を含んでいる。図３は、分解原料を含むディーゼル燃料沸点範囲の原料油を、種々の酸濃度の硫酸溶液によって種々の処理率において処理した結果得られた窒素低減データを含んでいる。図３に見られるように、窒素濃度は酸濃度の増大と共に減少している。
【００４０】
図４も、この試験によって得られた結果を含んでいる。図４は、分解原料を含むディーゼル燃料沸点範囲の原料油を、種々の酸濃度の硫酸溶液によって種々の処理率において処理した結果得られた硫黄低減データを含んでいる。図４に見られるように、硫黄濃度は酸濃度の増大と共に減少している。
【００４１】
図５は、図３および４に含まれる窒素および硫黄の除去データと、分解原料を含むディーゼル燃料沸点範囲の原料油を種々の酸濃度の硫酸溶液によって種々の処理率において処理した結果得られた収率の損失とを比較している。従って、図５は、ディーゼル原料油からの窒素および硫黄種物質除去の収率の損失に対する影響を表している。このため、図５を見れば、収率損失を最小化しながら窒素除去法を最適化することができる。
【００４２】
実施例６
全酸価（「ＴＡＮ」）０．２６ｍｇＫＯＨ／ｇ、窒素濃度１０５ｗｐｐｍおよび硫黄濃度１．３６重量％の直留留分のディーゼル燃料１００ミリリットルを、硫酸濃度９６重量％の硫酸溶液で処理した。処理手順としては、室温において、この直留留分のディーゼル燃料に硫酸溶液１ｍｌを加え、この混合物を分液漏斗内で１分間手動振盪した。続いて、混合物を１０分間沈降させ、廃酸溶液およびディーゼル燃料沸点範囲の生成物をデカンテーション操作によって分離してそれぞれの生成物を回収した。
【００４３】
このようにして回収したディーゼル燃料沸点範囲の生成物を容量５０ｍｌの遠心分離管の中に等量に分割し、この分離管を１５００ｒｐｍで運転される遠心分離機で１０分間遠心分離した。遠心分離管の底部には酸スラッジが観察された。４つの試料の内の１つを取り出して「酸処理、遠心分離のみ」と命名した。以下、これを、他の３つの試料と比較するために「試料＃１」と呼称する。
【００４４】
各遠心分離管から、ディーゼル燃料沸点範囲の生成物２５ｍｌを別の５０ｍｌ遠心分離管にピペットで移して更に処理した。第１の２５ｍｌ試料には蒸留水５ｍｌを加えた。これを「試料＃２」と呼称する。第２および第３の試料には５重量％ＮａＯＨ溶液２．５ｍｌを加えた。これを、それぞれ「試料＃３」および「試料＃４”と呼称する。試料＃２、＃３および＃４は、それぞれ６０秒間振盪し、続いて１５００ｒｐｍで１０分間遠心分離した。試料＃４には、その後更に蒸留水５ｍｌを加えて、続いて上記と同様に振盪し、遠心分離した。
【００４５】
すべての試料をガルブレイス分析試験所（Ｇａｌｂｒａｉｔｈ  Ａｎａｌｙｔｉｃａｌ  Ｌａｂｏｒａｔｏｒｉｅｓ）に送ってＴＡＮを分析した。試料＃２のＴＡＮは０．３７ｍｇＫＯＨ／ｇと測定されたが、これは、硫酸処理によってディーゼル燃料沸点範囲の生成物のＴＡＮが増大することを示している。試料＃２のＴＡＮは０．２５ｍｇＫＯＨ／ｇであり、ＴＡＮを少なくとも原料油における濃度に低下させるには単なる水洗で十分であることが証明された。
【００４６】
試料＃３のＴＡＮは検出限界以下であったが、これは苛性アルカリのキャリーオーバーによる誤判定である可能性がある。試料＃４のＴＡＮは０．０３ｍｇＫＯＨ／ｇで、実質的にゼロであった。苛性アルカリ処理後の水洗は苛性アルカリのキャリーオーバーを最小化または排除すること、および、ディーゼル燃料沸点範囲の生成物の窒素濃度は苛性アルカリ洗浄および水洗によっては低減しなかったことに留意されたい。
【００４７】
以上のように、実施例６は、ディーゼル燃料沸点範囲の生成物のＴＡＮを少なくともディーゼル燃料沸点範囲の原料油のＴＡＮに低下させるには、硫酸処理後の単なる水洗が有効であることを示している。これによって、典型的な酸処理法に関係する腐食問題が克服される。
【図面の簡単な説明】
【００４８】
【図１】種々の酸濃度における１容量％処理率において、実施例２に対して得られたデータを示す。
【図２】種々の酸濃度における４容量％処理率において得られたデータを示す。
【図３】原料の全窒素濃度に対する、酸濃度と処理容量の組み合わせの影響を示す。
【図４】原料の全硫黄濃度に対する、酸濃度と処理容量の組み合わせの影響を示す。
【図５】収率損失に対する、窒素除去および硫黄除去両者の影響を示す。
【図１】
2007513248.tif 000004
【図２】
2007513248.tif 000005
【図３】
2007513248.tif 000006
【図４】
2007513248.tif 000007
【図５】
2007513248.tif 000008
【国際調査報告】
2007513248.tif 000009
2007513248.tif 000010
2007513248.tif 000011